【手続補正書】
【提出日】平成18年3月8日(2006.3.8)
【手続補正１】
【補正対象書類名】明細書
【補正対象項目名】発明の名称
【補正方法】変更
【補正の内容】
【発明の名称】記録装置、送信装置、送受信システム、記録方法、送信方法、送受信方法
【手続補正２】
【補正対象書類名】明細書
【補正対象項目名】特許請求の範囲
【補正方法】変更
【補正の内容】
【特許請求の範囲】
【請求項１】  受信した番組情報を所定の記録媒体に記録することのできる記録手段と、
番組放送予定の変更を示す放送予定変更情報を受信して取得する情報取得手段と、
上記番組情報を予約記録するための所要の指定内容を有する予約記録情報が記憶される記憶手段と、
上記記憶手段に記憶された予約記録情報により指定される予約記録動作が実行されるように上記記録手段を制御するものとされ、予約記録動作中においては、上記情報取得手段により取得した放送予定変更情報の内容に応じて上記予約記録情報の変更を行い、この変更された予約記録情報に基づいて上記記録手段の記録動作を制御可能に構成される制御手段と、
を備えていることを特徴とする記録装置。
【請求項２】  上記制御手段は、
上記放送予定変更情報が番組の放送時間帯の遅延を示す場合には、これまでの予約記録動作を終了させる記録終了制御を実行すると共に、この後、遅延された番組の放送開始時間に至ったときに予約記録動作が再開されるように上記予約記録情報の変更を行うことを特徴とする請求項１に記載の記録装置。
【請求項３】  上記制御手段は、
上記記録終了制御を実行した後に、上記記録媒体に対する記録位置を、この記録終了制御が実行されるまで行われていた予約記録動作により記録されたデータが消去されるようにするための消去制御を実行することを特徴とする請求項２に記載の記録装置。
【請求項４】  上記記録媒体はテープ状記録媒体とされたうえで、
上記制御手段は、
上記消去制御として、上記記録終了制御により予約記録動作が停止されたテープ位置より前の所定のテープ位置が次の予約記録動作の再開時の記録開始位置となるように、上記テープ状記録媒体を巻き戻すための制御を実行するようにされていることを特徴とする請求項３に記載の記録装置。
【請求項５】  上記制御手段は、
上記放送予定変更情報が臨時番組の挿入を示す場合には、臨時番組の挿入開始に対応してこれまでの記録動作を終了させる記録終了制御を実行し、この後、臨時番組の挿入終了後に放送される番組の記録が再開されるように上記予約記録情報の変更を行うことを特徴とする請求項１に記載の記録装置。
【請求項６】  スクランブル処理が施された放送予定変更情報についてデスクランブル処理を行うデスクランブル手段と、
上記放送予定変更情報と共に送信され、当該記録装置に固有となるデスクランブル処理の実行制御に利用されると共に当該記録装置に固有となる処理制御情報を利用して、上記デスクランブル手段におけるデスクランブル処理の実行を制御するデスクランブル制御手段と、
を備えていることを特徴とする請求項１に記載の記録装置。
【請求項７】  受信した番組情報を所定の記録媒体に記録することのできる記録手段と、
上記番組情報を予約記録するための所要の指定内容を有する予約記録情報が記憶される記憶手段と、
予約記録動作の変更を指示することのできる所定内容の情報を有する変更指示情報を受信して取得する情報取得手段と、
上記記憶手段に記憶された予約記録情報により指定される予約記録動作が実行されるように上記記録手段を制御するものとされ、予約記録動作中においては、上記情報取得手段により取得した変更指示情報の内容に応じて上記予約記録情報の変更を行い、この変更された予約記録情報に基づいて上記記録手段の記録動作を制御可能に構成される制御手段と、
を備えていることを特徴とする記録装置。
【請求項８】
上記情報取得手段は、
外部から所定のインターフェイスを介して送信される上記変更指示情報を取得する、
ことを特徴とする請求項７に記載の記録装置。
【請求項９】  番組放送予定の変更を示す放送予定変更情報についてスクランブル処理を施すスクランブル処理手段と、
放送を受信する受信装置における上記放送予定変更情報についてのデスクランブル処理の実行制御に利用されると共に受信装置ごとに固有とされる処理制御情報を提供するのにあたり、所定の選択基準に基づいて選択した受信装置の処理制御情報を提供する情報提供手段と、
スクランブル処理が施された放送予定変更情報と、上記情報提供手段により保有される処理制御情報を送信出力する送信手段と、
を備えていることを特徴とする送信装置。
【請求項１０】  送信装置と受信装置から成り、
上記送信装置は、
少なくとも番組放送予定の変更を示す放送予定変更情報を送信する送信手段を備え、
上記受信装置は、
受信した番組情報を所定の記録媒体に記録することのできる記録手段と、
番組の放送予定の変更を示す放送予定変更情報を受信して取得する情報取得手段と、
上記番組情報を予約記録するための所要の指定内容を有する予約記録情報が記憶される予約記録情報記憶手段と、
上記記憶手段に記憶された予約記録情報により指定される予約記録動作が実行されるように上記記録手段を制御するものとされ、予約記録動作中においては、上記情報取得手段により取得した放送予定変更情報の内容に応じて上記予約記録情報の変更を行い、この変更された予約記録情報に基づいて上記記録手段の記録動作を制御可能に構成される制御手段と、
を備えていることを特徴とする送受信システム。
【請求項１１】  上記送信装置は、
番組放送予定の変更を示す放送予定変更情報についてスクランブル処理を施すスクランブル処理手段と、
受信装置における上記放送予定変更情報についてのデスクランブル処理の実行制御に利用され、放送を受信する受信装置ごとに固有とされる処理制御情報を提供するのにあたり、所定の選択基準に基づいて選択した受信装置の処理制御情報を提供する情報提供手段とを備えて、
上記送信手段は、スクランブル処理が施された放送予定変更情報と、上記情報提供手段により保有される処理制御情報を送信するようにされ、
上記受信装置は、
上記情報取得手段により、上記スクランブル処理が施された放送予定変更情報と、処理制御情報とを受信して取得可能とされると共に、
スクランブル処理が施された放送予定変更情報についてデスクランブル処理を行うデスクランブル手段と、
当該受信装置に固有となる上記処理制御情報を利用して、上記デスクランブル手段におけるデスクランブル処理の実行を制御するデスクランブル制御手段と、
を備えていることを特徴とする請求項１０に記載の送受信システム。
【請求項１２】  受信した番組情報を所定の記録媒体に記録する記録手順と、
番組放送予定の変更を示す放送予定変更情報を受信して取得する情報取得手順と、
記憶手段に記憶される、上記番組情報を予約記録するための所要の指定内容を有する予約記録情報により指定される予約記録動作が実行されるように上記記録手順による記録動作を制御するものとされ、予約記録動作中においては、上記情報取得手順により取得した放送予定変更情報の内容に応じて上記予約記録情報の変更を行い、この変更された予約記録情報に基づいて上記記録手順による記録動作を制御する制御手順と、
を実行することを特徴とする記録方法。
【請求項１３】  受信した番組情報を所定の記録媒体に記録する記録手順と、
予約記録動作の変更を指示することのできる所定内容の情報を有する変更指示情報を受信して取得する情報取得手順と、
記憶手段に記憶される、上記番組情報を予約記録するための所要の指定内容を有する予約記録情報により指定される予約記録動作が実行されるように上記記録手順による記録動作を制御するものとされ、予約記録動作中においては、上記情報取得手順により取得した変更指示情報の内容に応じて上記予約記録情報の変更を行い、この変更された予約記録情報に基づいて上記記録手順による記録動作を制御する制御手順と、
を実行することを特徴とする記録方法。
【請求項１４】  番組放送予定の変更を示す放送予定変更情報についてスクランブル処理を施すスクランブル処理手順と、
放送を受信する受信装置における上記放送予定変更情報についてのデスクランブル処理の実行制御に利用されると共に受信装置ごとに固有とされる処理制御情報を提供するのにあたり、所定の選択基準に基づいて選択した受信装置の処理制御情報を提供する情報提供手順と、
スクランブル処理が施された放送予定変更情報と、上記情報提供手順により保有される処理制御情報を送信出力する送信手順と、
を実行することを特徴とする送信方法。
【請求項１５】  送信装置と受信装置から成る送受信システムにおける送受信方法において、
上記送信装置は、
少なくとも番組放送予定の変更を示す放送予定変更情報を送信する送信手順を実行し、
上記受信装置は、
受信した番組情報を所定の記録媒体に記録する記録手順と、
番組の放送予定の変更を示す放送予定変更情報を受信して取得する情報取得手順と、
記憶手段に記憶される、上記番組情報を予約記録するための所要の指定内容を有する予約記録情報により指定される予約記録動作が実行されるように上記記録手順による記録動作を制御するものとされ、予約記録動作中においては、上記情報取得手順により取得した放送予定変更情報の内容に応じて上記予約記録情報の変更を行い、この変更された予約記録情報に基づいて上記記録手順の記録動作を制御する制御手順と、
を実行することを特徴とする送受信方法。
【手続補正３】
【補正対象書類名】明細書
【補正対象項目名】０００１
【補正方法】変更
【補正の内容】
【０００１】
【発明の属する技術分野】
本発明は、例えば放送を受信して得られる画像音声情報について記録することのできる記録装置と、放送側に備えられる送信装置、及び、上記記録装置から成る受信装置と送信装置とから成る送受信システムと、これらの装置、システムに対応する方法に関するものである。
【手続補正４】
【補正対象書類名】明細書
【補正対象項目名】０００９
【補正方法】変更
【補正の内容】
【０００９】
このため、記録装置について次のように構成する。
つまり、放送を受信して得られた番組情報を所定の記録媒体に記録することのできる記録手段と、外部から送信される番組放送予定の変更を示す放送予定変更情報を受信して取得する情報取得手段と、番組情報を予約記録するための所要の指定内容を有する予約記録情報が記憶される予約記録情報記憶手段と、記憶手段に記憶された予約記録情報により指定される予約記録動作が実行されるように記録手段を制御するものしたうえで、予約記録動作中においては、情報取得手段により取得した放送予定変更情報の内容に応じて予約記録情報の変更を行い、この変更された予約記録情報に基づいて記録手段の記録動作を制御可能に構成される制御手段とを備えることとした。
また、記録方法として、受信した番組情報を所定の記録媒体に記録する記録手順と、番組放送予定の変更を示す放送予定変更情報を受信して取得する情報取得手順と、記憶手段に記憶される、番組情報を予約記録するための所要の指定内容を有する予約記録情報により指定される予約記録動作が実行されるように記録手順による記録動作を制御するものとされ、予約記録動作中においては、情報取得手順により取得した放送予定変更情報の内容に応じて予記録情報の変更を行い、この変更された予約記録情報に基づいて記録手順による記録動作を制御する制御手順とを実行するように構成することとした。
【手続補正５】
【補正対象書類名】明細書
【補正対象項目名】００１０
【補正方法】変更
【補正の内容】
【００１０】
上記記録装置及び記録方法の構成によれば、予約記録動作を実行中にあっても、外部から送信されてくる放送予定変更情報の内容に基づいて記録手段（記録手順の記録動作）に対する制御を実行することで、以降の予約記録動作の実行内容について変更を行うように制御することが可能となる。これにより、例えばユーザが録画したいとして予約記録登録していた番組を例えば、その開始から終了まで記録することが可能になる。
【手続補正６】
【補正対象書類名】明細書
【補正対象項目名】００１１
【補正方法】変更
【補正の内容】
【００１１】
また、記録装置として次のようにも構成する。
放送を受信して得られた番組情報を所定の記録媒体に記録することのできる記録手段と、番組情報を予約記録するための所要の指定内容を有する予約記録情報が記憶される予約記録情報記憶手段と、外部から所定のインターフェイスを介して送信される予約記録動作の変更を指示することのできる所定内容の情報を有する変更指示情報を受信して取得する情報取得手段と、記憶手段に記憶された予約記録情報により指定される予約記録動作が実行されるように記録手段を制御するものしたうえで、予約記録動作中においては、情報取得手段により取得した変更指示情報の内容に応じて予約記録情報の変更を行い、この変更された予約記録情報に基づいて記録手段の記録動作を制御可能に構成される制御手段とを備えることとした。
また、記録方法としては次のように構成する。
つまり、受信した番組情報を所定の記録媒体に記録する記録手順と、予約記録動作の変更を指示することのできる所定内容の情報を有する変更指示情報を受信して取得する情報取得手順と、記憶手段に記憶される番組情報を予約記録するための所要の指定内容を有する予約記録情報により指定される予約記録動作が実行されるように記録手順による記録動作を制御するものとされ、予約記録動作中においては、情報取得手順により取得した変更指示情報の内容に応じて予約記録情報の変更を行い、この変更された予約記録情報に基づいて記録手順による記録動作を制御する制御手順とを実行するように構成する。
【手続補正７】
【補正対象書類名】明細書
【補正対象項目名】００１２
【補正方法】変更
【補正の内容】
【００１２】
上記記録装置及び記録方法の構成によれば、予約記録動作を実行中にあっても、外部から送信されてくる変更指定情報の内容に基づいて記録手段（記録手順の記録動作）に対する制御を実行することで、以降の予約記録動作の実行内容について変更を行うように制御することが可能となる。従って、この構成によっても、例えばユーザが録画したいとして予約記録登録していた番組の放送予定に変更があっても、その番組をその開始から終了まで記録することが可能になる。
【手続補正８】
【補正対象書類名】明細書
【補正対象項目名】００１３
【補正方法】変更
【補正の内容】
【００１３】
また、送信装置については次のように構成する。
つまり、番組放送予定の変更を示す放送予定変更情報についてスクランブル処理を施すスクランブル処理手段と、放送を受信する受信装置における放送予定変更情報についてのデスクランブル処理の実行制御に利用されると共に受信装置ごとに固有とされる処理制御情報を提供するのにあたり、所定の選択基準に基づいて選択した受信装置の処理制御情報を提供する情報提供手段と、スクランブル処理が施された放送予定変更情報と情報提供手段により保有される処理制御情報を送信出力する送信手段とを備える。
また、送信方法としては次のように構成する。
つまり、番組放送予定の変更を示す放送予定変更情報についてスクランブル処理を施すスクランブル処理手順と、放送を受信する受信装置における放送予定変更情報についてのデスクランブル処理の実行制御に利用されると共に受信装置ごとに固有とされる処理制御情報を提供するのにあたり、所定の選択基準に基づいて選択した受信装置の処理制御情報を提供する情報提供手順と、スクランブル処理が施された放送予定変更情報と、情報提供手順により保有される処理制御情報を送信出力する送信手順とを実行するように構成する。
【手続補正９】
【補正対象書類名】明細書
【補正対象項目名】００１４
【補正方法】変更
【補正の内容】
【００１４】
上記送信装置及び送信方法の構成では、スクランブルが施された放送予定変更情報と、処理制御情報とが送信されることになる。従って、受信側では、その受信装置に固有の処理制御情報が送信されなければ放送予定変更情報を利用することが出来なくなる。つまり、放送側において、所定の基準に従って放送予定変更情報を利用できる受信装置を選択することが可能になるものである。
【手続補正１０】
【補正対象書類名】明細書
【補正対象項目名】００１５
【補正方法】変更
【補正の内容】
【００１５】
また、送受信システムとして次のように構成する。
つまり、本発明の送受信システムとしては送信装置と受信装置から成る。そして送信装置は、少なくとも番組放送予定の変更を示す放送予定変更情報を送信する送信手段を備える。また、受信装置は、放送を受信して得られる番組情報を所定の記録媒体に記録することのできる記録手段と、外部から送信される、番組の放送予定の変更を示す放送予定変更情報を受信して取得する情報取得手段と番組情報を予約記録するための所要の指定内容を有する予約記録情報が記憶される予約記録情報記憶手段と、記憶手段に記憶された予約記録情報により指定される予約記録動作が実行されるように記録手段を制御するものとしたうえで、予約記録動作中においては、情報取得手段により取得した放送予定変更情報の内容に応じて予約記録情報の変更を行い、この変更された予約記録情報に基づいて記録手段の記録動作を制御可能に構成される制御手段とを備える。
また、送信装置と受信装置から成る送受信システムにおける送受信方法として次のように構成する。
つまり、送信装置においては、少なくとも番組放送予定の変更を示す放送予定変更情報を送信する送信手順を実行し、受信装置は、受信した番組情報を所定の記録媒体に記録する記録手順と、番組の放送予定の変更を示す放送予定変更情報を受信して取得する情報取得手順と、記憶手段に記憶される番組情報を予約記録するための所要の指定内容を有する予約記録情報により指定される予約記録動作が実行されるように記録手順による記録動作を制御するものとされ、予約記録動作中においては情報取得手順により取得した放送予定変更情報の内容に応じて予約記録情報の変更を行い、この変更された予約記録情報に基づいて記録手順の記録動作を制御する制御手順とを実行するように構成することとした。
【手続補正１１】
【補正対象書類名】明細書
【補正対象項目名】００１６
【補正方法】変更
【補正の内容】
【００１６】
上記送受信システム及び送受信方法の構成によっても、放送側から送信される放送予定変更情報を受信装置側が受信することで、受信装置側が予約記録動作を実行中にあっても、この放送予定変更情報の内容に基づいて記録手段（記録手順による記録動作）に対する制御を実行することで、以降の予約記録動作の実行内容について変更を行うように制御することが可能となる。